(57)【要約】【課題】壁面の下部に設置され、床面を照射するための照明器具において、光源の発光部の傾きに製造誤差があったとしても、施工後に配光を調節することができるようにする。【解決手段】照明器具１は、光源２と、光源２を収納する器具本体３と、光源２の前方に設けられて光の配光を制御する透光部材４と、を備える。また、照明器具１は、透光部材４を保持し、光源２による照射面と略平行な方向にスライド自在なホルダ４０を備え、光源２は、器具本体３内において光出射方向にスライド自在に搭載され、光源２と透光部材４との距離が可変とされる。光源２と透光部材４との相対位置を調節することにより、光源２の発光部２０の傾きに製造誤差があったとしても、施工後に器具間の配光を調節することができる。【選択図】図１
2008293910.tif 000002
【特許請求の範囲】
【請求項１】
光源と、前記光源を収納する器具本体と、前記光源の前方に設けられて光の配光を制御する透光部材と、を備えた照明器具において、
前記透光部材を保持し、前記光源による照射面と略平行な方向にスライド自在なホルダを備え、
前記光源は、前記器具本体内において光出射方向にスライド自在に搭載され、
前記光源と前記透光部材との相対位置が可変であることを特徴とする照明器具。
【請求項２】
前記透光部材は、シリンドリカルレンズであることを特徴とする請求項１に記載の照明器具。
【発明の詳細な説明】
【技術分野】
【０００１】
本発明は、壁面の下部に設置され、床面を照射するための照明器具に関する。
【背景技術】
【０００２】
従来から、壁面の下部に設置され、床面や地面等に光を照射することにより歩行者の足元を明るくする、いわゆるフットライト型の照明器具が知られている（例えば、特許文献１参照）。また、建物のエントランスやホテルの廊下等では、図４に示されるように、複数の照明器具１０１を壁面に配置することにより、単に歩行者の足元を明るくするだけでなく、照射面（床面）に帯長の光が一定間隔で照射されるような、演出的な照明が行われることがある。
【０００３】
このような照明では、照明器具の光源から出射された光が、適確に床面に照射されるように、適宜に配光を調整する必要がある。そこで、光源の前方に所定の光学特性を有する透光部材を配置して、この透光部材が光軸と直交する方向にスライドすることにより、光源からの出射光の配光を調整できるようにした照明器具が知られている（例えば、特許文献２参照）。
【特許文献１】特開２００６−３３１９８８号公報
【特許文献２】特開平４−１８４８０１号公報
【発明の開示】
【発明が解決しようとする課題】
【０００４】
しかしながら、光源として用いられるランプには、ランプ内の発光部の傾きが製品ごとに若干異なるといった製造誤差が少なからず存在する。また、照明器具の取付誤差によっても発光部の傾きが変化することがある。このように、発光部の傾きにズレがあると、透光部材を透過した光の配光が、照明器具の正面方向から斜めにズレてしまうことがある。照明器具が単体で、又は複数の照明器具が夫々離れた位置に設置されているとき、この配光のズレが僅かであれば、あまり問題にならない。しかし、図４に示されるように、複数の照明器具が比較的近接した間隔で設置されると、僅かな配光のズレが顕著になり、照射面の見た目が悪くなる。
【０００５】
ところが、特許文献１に示される照明器具は、上述のように、近接した間隔で設置され、演出的な照明に適用されることを想定していないので、配光を微調節することができない。また、特許文献２に示される照明器具は、自動車用灯具といった、頻繁に配光を変化させるような照明器具に適用されるため、透光部材を可動とするための複雑な駆動機構を有する。これに対して、壁面に常設され、施工時やランプの交換時等に配光を微調節できればよいフットライト型の照明器具においては、より簡単な構成で配光を調節できることが望ましい。
【０００６】
本発明は、上記課題を解決するものであり、ランプの製造誤差や器具施工時の取付誤差等によって器具間で発光部の傾きが異なっていても、施工後に、器具間における配光を簡単な構成により調節することができる照明器具を提供することを目的とする。
【課題を解決するための手段】
【０００７】
上記課題を解決するため、請求項１の発明は、光源と、前記光源を収納する器具本体と、前記光源の前方に設けられて光の配光を制御する透光部材と、を備えた照明器具において、前記透光部材を保持し、前記光源による照射面と略平行な方向にスライド自在なホルダを備え、前記光源は、前記器具本体内において光出射方向にスライド自在に搭載され、前記光源と前記透光部材との相対位置を可変としたものである。
【０００８】
請求項２の発明は、請求項１に記載の照明器具において、前記透光部材を、シリンドリカルレンズとしたものである。
【発明の効果】
【０００９】
請求項１の発明によれば、ランプの製造誤差や器具施工時の取付誤差等によって発光部の傾きが異なっていても、施工後に、ホルダ又は光源をスライドさせて、光源と透光部材との相対位置を調整することにより、器具間における配光を適宜に調節することができる。
【００１０】
請求項２の発明によれば、透光部材が光源から水平方向へ広がる光を集光して、出射方向に帯長な光を照射できる。
【発明を実施するための最良の形態】
【００１１】
以下、本発明の一実施形態に係る照明器具について、図１、図２（ａ）乃至（ｃ）及び図３（ａ）乃至（ｄ）を参照して説明する。本実施形態の照明器具１は、壁の所定箇所に埋め込まれた埋込箱１０に取り付けられ、光源２と、光源２を収納する器具本体３と、光源２の前方に設けられて光の照射を制御する透光部材４と、を備える。また、照明器具１は、上記の光源２及び透光部材４が搭載され、器具本体３に対して回転自在に設けられた回転台５をさらに備える。透光部材４の前方には、スリット７２を有する遮光板７３を備えた化粧枠７が設けられている。なお、図１においては、器具本体３及び埋込箱１０の図示を省略している。また、回転台５に光源２及び透光部材４を搭載させる手順を図３（ａ）乃至（ｄ）に示している。
【００１２】
回転台５は、光源２による照射面と略平行となる回転軸５０を有し、この回転軸５０を挟んで、第１の面５１と第２の面５２とが夫々略直交するように配置されている。上記の光源２は第１の面５１に、透光部材４は第２の面に搭載される。また、第２の面５２は、透光部材４を透過した光を放射するための開口部５３を有している。
【００１３】
回転台５の回転軸５０は、その両端が器具本体３の内側面に固定されている。この回転軸５０を軸として、回転台５は、器具本体３内において、光の出射方向に対して上下に首振り自在となる。また、回転台５は、回転台固定具６を介して、器具本体３の内側面と第１の面５１の上部とが夫々ネジ止めされることにより、器具本体３に対して所定の回転位置で固定される。
【００１４】
透光部材４は、図３（ａ）（ｂ）に示されるように、光源２から出射された光を光学制御するための平凸レンズ（シリンドリカルレンズ）であり、レンズホルダ４０によって回転台５の第１の面５１に搭載される。レンズホルダ４０は、透光部材４の形状に適合するように形成されていて、光源２からの光を透光部材４へ入射させるために開口部を有する凸部４１と、レンズホルダ４０を第１の面５１に固定するための固定部４２を有する。
【００１５】
第１の面５１は、レンズホルダ４０の固定部４２とネジ止めするための第１の調節穴５４を有する。レンズホルダ４０は、固定部４２と第１の面５１とがネジ４３によってネジ止めされることにより回転台５に固定される。透光部材４は、レンズホルダ４０と第２の面５２との間で挟持される。
【００１６】
また、第１の調節穴５４は、回転軸５０と平行な方向が長くなるように形成されている。そのため、レンズホルダ４０と第２の面５２との間で挟持される透光部材４は、ネジ４３を緩めることにより、図３（ｃ）に示されるように、第１の調節穴５４の長手方向にスライド自在に搭載され、ネジ４３をしっかり締めることにより、図３（ｄ）に示されるように、所定の位置で固定される。この構成により、照明器具１は、レンズホルダ４０をスライドさせることで、光源２と透光部材４との相対位置が変わり、透光部材４からの出射光の配光を調節することができる。従って、製造誤差や器具施工時の取付誤差等により、器具間で光源２の発光部２０の傾きが異なっていても、施工後に、夫々の出射光の配光を等しくすることができる。
【００１７】
また、光源２は、ソケット２１を介して回転台５の第２の面５２に搭載される。ソケット２１は、光源２と電気的に接続された配線２２を備え、この配線２２は、光源２を点灯制御するための点灯回路２３に接続されている（図２（ａ）参照）。
【００１８】
本実施形態において、第２の面５２は、ソケット２１の下面部とネジ止めするための第２の調節穴５５を有し、ソケット２１は、第２の面５２の下方からネジ２４により回転台５に固定される。また、第２の調節穴５５は、光出射方向が長くなるように形成されている。そのため、ソケット２１は、ネジ２４を緩めることにより、第２の面５２上において、第２の調節穴５５の長手方向にスライド自在に搭載され（図３（ｃ）参照）、ネジ２４をしっかり締めることにより、所定の位置で固定される（図３（ｄ）参照）。この構成により、照明器具１は、光源２と透光部材４との距離が可変となり、例えば、光源２と透光部材４との距離を長くすることにより、水平方向における出射光の幅を細くしたり、光源２と透光部材４との距離を短くすることにより、上記の幅を広くすることができる。また、光源２及び透光部材４の位置を夫々スライドさせて、各々の相対位置を微調整することにより、より正確な配光の調節が可能となる。
【００１９】
また、本実施形態の照明器具１では、透光部材４として平凸形状のシリンドリカルレンズが用いられる。シリンドリカルレンズを用いることにより、光源２から水平方向へ広がる光が集光され、照明器具１は出射方向に帯長な光を照射できる。
【００２０】
化粧枠７は、ガラス７１と、その内面に併設され、回転台５の回転軸５０と略直交な方向に形成されたスリット７２を有する遮光板７３と、それらを挟持して、器具本体３に固定するための枠体７４等から成る。このスリット７２を有する遮光板７３が設けられることにより、光源２から水平方向へ広がる光を遮断することができるので、床面において、照射面と非照射面との境界がはっきり分かれ、見た目が良くなる。
【００２１】
なお、本発明は、上記構成に限られず、種々の変形が可能であり、光源及び透光部材が器具本体内でスライド自在に搭載され、これらの配置を調節することにより、出射光の配光を調整可能とした種々の照明器具に適用され得る。
【図面の簡単な説明】
【００２２】
【図１】本発明の一実施形態に係る照明器具の分解斜視図。
【図２】（ａ）は同照明器具の側断面図、（ｂ）は同照明器具の正面図、（ｃ）は化粧枠を外した状態の同照明器具の正面図。
【図３】（ａ）乃至（ｄ）は回転台に光源及び透光部材を搭載させる手順を示す斜視図。
【図４】フットライト型の照明器具の施工例を示す図。
【符号の説明】
【００２３】
１    照明器具
２    光源
２０  発光部
２１    ソケット
２４    ネジ
３    器具本体
４    透光部材
４０    レンズホルダ（ホルダ）
４３    ネジ
５    回転台
５０  回転軸
５１    第１の面
５２    第２の面
５４    第１の調節穴
５５    第２の調節穴
【図１】
2008293910.tif 000003
【図２】
2008293910.tif 000004
【図３】
2008293910.tif 000005
【図４】
2008293910.tif 000006